(57)【要約】【課題】装着溝が断面矩形状の矩形溝でありながら、優れた耐圧性を発揮し、シールリングのはみ出しを抑制可能で、もって溝加工の容易化およびコスト低減を実現できる密封装置を提供する。【解決手段】シールリングと、その反密封流体側に配置される比較的硬質の第一バックアップリングと、両リングの間に配置される比較的軟質の第二バックアップリングとを有する。装着溝は断面矩形状の矩形溝とされる。第一バックアップリングは、本体部のシールリング側に設けた張り出し部にテーパ形状を有する。第二バックアップリングは、第一バックアップリングのテーパ形状に対応してこれに乗り上げることが可能なテーパ部を有する。第一バックアップリングの本体部と第二バックアップリングとの間には初期隙間が設定される。【選択図】図１
2010190314.tif 000002
【特許請求の範囲】
【請求項１】
互いに対向する二部材の間に配置されて密封流体をシールする密封装置であって、
前記二部材のうちの一方の部材に設けた装着溝に装着されて他方の部材に密接するシールリングと、前記シールリングの反密封流体側に配置される比較的硬質の第一バックアップリングと、前記シールリングおよび第一バックアップリングの間に配置される比較的軟質の第二バックアップリングとを有し、
前記装着溝は断面矩形状の矩形溝とされ、
前記第一バックアップリングは、環状の本体部と、前記本体部のシールリング側の面であって前記装着溝の溝底面に近い部位に設けられた張り出し部とを一体に有し、前記張り出し部に、前記シールリングに近付くに連れて前記溝底面に近付く方向に傾斜するテーパ形状が設けられ、
前記第二バックアップリングに、前記第一バックアップリングのテーパ形状に対応してこれに乗り上げることが可能なテーパ部が設けられ、
前記第一バックアップリングの本体部と前記第二バックアップリングとの間に初期隙間が設定されていることを特徴とする密封装置。
【請求項２】
互いに対向する二部材の間に配置されて密封流体をシールする密封装置であって、
前記二部材のうちの一方の部材に設けた装着溝に装着されて他方の部材に密接するシールリングと、前記シールリングの反密封流体側に配置される比較的硬質の第一バックアップリングと、前記シールリングおよび第一バックアップリングの間に配置される比較的軟質の第二バックアップリングとを有し、
前記装着溝は断面矩形状の矩形溝とされ、
前記第一バックアップリングは、環状の本体部と、前記本体部のシールリング側の面であって前記他方の部材に近い部位に設けられた張り出し部とを一体に有し、前記張り出し部に、前記シールリングに近付くに連れて前記他方の部材に近付く方向に傾斜するテーパ形状が設けられ、
前記第二バックアップリングに、前記第一バックアップリングのテーパ形状に対応してこれに乗り上げることが可能なテーパ部が設けられ、
前記第一バックアップリングの本体部と前記第二バックアップリングとの間に初期隙間が設定されていることを特徴とする密封装置。
【請求項３】
請求項２記載の密封装置において、
第一バックアップリングの高さ寸法は、偏芯後の過圧縮状態でつぶしを持たない寸法に設定され、
第二バックアップリングの高さ寸法は、通常時で装着溝の高さ寸法に合わせて設定されていることを特徴とする密封装置。
【発明の詳細な説明】
【技術分野】
【０００１】
本発明は、密封技術に係る密封装置に関するものである。本発明の密封装置は例えば、筒内直噴ガソリンエンジン用インジェクタに用いられ、または筒内高圧シール部などに用いられる。
【背景技術】
【０００２】
本願出願人は先に、図３に示す密封装置５１を提案しており、この密封装置５１は、互いに対向する二部材６１，６２の間に配置されて密封流体をシールするものであって、二部材６１，６２のうちの一方の部材（例えば軸）６１に設けた装着溝６３に装着されて他方の部材（例えばハウジング）６２に密接するシールリング５２の反密封流体側に比較的硬質の第一バックアップリング５３を配置するとともに両リング５２，５３の間に比較的軟質の第二バックアップリング５４を配置し、当該密封装置５１に密封流体側から高圧が作用したときにバックアップリング５３，５４が、装着溝６３の溝底面に設けたテーパ形状６４に乗り上げることにより、優れた耐圧性を発揮し、シールリング５２のはみ出しを抑制できるものとされている（特許文献１参照）。
【０００３】
しかしながら上記先行技術によると、上記したように装着溝６３の溝底面にテーパ形状６４を設ける必要があることから、装着溝６３が断面矩形状の矩形溝である場合と比較して、溝の加工に手間がかかり、加工コストが高いものとなっている。
【先行技術文献】
【特許文献】
【０００４】
【特許文献１】国際公開ＷＯ２００６／０７０５６８号公報
【発明の概要】
【発明が解決しようとする課題】
【０００５】
本発明は以上の点に鑑みて、装着溝が断面矩形状の矩形溝でありながら上記先行技術と同等の性能を発揮すること（優れた耐圧性を発揮し、シールリングのはみ出しを抑制できること）が可能であり、もって溝加工の容易化およびコスト低減を実現することができる密封装置を提供することを目的とする。
【課題を解決するための手段】
【０００６】
上記目的を達成するため、本発明の請求項１による密封装置は、互いに対向する二部材の間に配置されて密封流体をシールする密封装置であって、前記二部材のうちの一方の部材に設けた装着溝に装着されて他方の部材に密接するシールリングと、前記シールリングの反密封流体側に配置される比較的硬質の第一バックアップリングと、前記シールリングおよび第一バックアップリングの間に配置される比較的軟質の第二バックアップリングとを有し、前記装着溝は断面矩形状の矩形溝とされ、前記第一バックアップリングは、環状の本体部と、前記本体部のシールリング側の面であって前記装着溝の溝底面に近い部位に設けられた張り出し部とを一体に有し、前記張り出し部に、前記シールリングに近付くに連れて前記溝底面に近付く方向に傾斜するテーパ形状が設けられ、前記第二バックアップリングに、前記第一バックアップリングのテーパ形状に対応してこれに乗り上げることが可能なテーパ部が設けられ、前記第一バックアップリングの本体部と前記第二バックアップリングとの間に初期隙間が設定されていることを特徴とする。
【０００７】
また、本発明の請求項２による密封装置は、互いに対向する二部材の間に配置されて密封流体をシールする密封装置であって、前記二部材のうちの一方の部材に設けた装着溝に装着されて他方の部材に密接するシールリングと、前記シールリングの反密封流体側に配置される比較的硬質の第一バックアップリングと、前記シールリングおよび第一バックアップリングの間に配置される比較的軟質の第二バックアップリングとを有し、前記装着溝は断面矩形状の矩形溝とされ、前記第一バックアップリングは、環状の本体部と、前記本体部のシールリング側の面であって前記他方の部材に近い部位に設けられた張り出し部とを一体に有し、前記張り出し部に、前記シールリングに近付くに連れて前記他方の部材に近付く方向に傾斜するテーパ形状が設けられ、前記第二バックアップリングに、前記第一バックアップリングのテーパ形状に対応してこれに乗り上げることが可能なテーパ部が設けられ、前記第一バックアップリングの本体部と前記第二バックアップリングとの間に初期隙間が設定されていることを特徴とする。
【０００８】
また、本発明の請求項３による密封装置は、上記した請求項２記載の密封装置において、第一バックアップリングの高さ寸法は、偏芯後の過圧縮状態でつぶしを持たない寸法に設定され、第二バックアップリングの高さ寸法は、通常時で装着溝の高さ寸法に合わせて設定されていることを特徴とする。
【０００９】
上記構成を備える本発明の密封装置において、装着溝は断面矩形状の矩形溝とされ、上記先行技術におけるテーパ形状の類は全く設けられていない。上記先行技術において、テーパ形状は密封流体側から反密封流体側へかけて装着溝の溝高さ（深さ）が漸次小さくなる（浅くなる）ように設定され、密封装置に密封流体側から高圧が作用したときにバックアップリングがこのテーパ形状に乗り上げることにより、耐圧性を発揮し、シールリングのはみ出しを抑制するものとされている。これに対し本発明では、テーパ形状は装着溝の溝底面ではなく第一バックアップリングに設けられ、この第一バックアップリングに設けられたテーパ形状に対して第二バックアップリングが乗り上げることにより、耐圧性を発揮し、シールリングのはみ出しを抑制するものとされている。
【００１０】
このため、請求項１による密封装置では、第一バックアップリングは、環状の本体部と、この本体部のシールリング側の面であって装着溝の溝底面に近い部位に設けられた張り出し部とを一体に有し、この張り出し部に、シールリングに近付くに連れて溝底面に近付く方向に傾斜するテーパ形状が設けられている。第二バックアップリングには、第一バックアップリングに設けたテーパ形状に対応してこれに乗り上げることが可能なテーパ部が設けられている。また乗り上げに際して両バックアップリングは相対に変位しなければならないことから、第一バックアップリングの本体部と第二バックアップリングとの間には初期隙間が設定されている。したがって以上の構成によれば、第一バックアップリングに設けられたテーパ形状に対し第二バックアップリングが乗り上げることになって、これにより耐圧性が発揮され、シールリングのはみ出しが抑制される。
【００１１】
また、請求項２による密封装置では、第一バックアップリングは、環状の本体部と、この本体部のシールリング側の面であって他方の部材に近い部位に設けられた張り出し部とを一体に有し、後者の張り出し部に、シールリングに近付くに連れて他方の部材に近付く方向に傾斜するテーパ形状が設けられている。第二バックアップリングには、第一バックアップリングに設けたテーパ形状に対応してこれに乗り上げることが可能なテーパ部が設けられている。また乗り上げに際して両バックアップリングは相対に変位しなければならないことから、第一バックアップリングの本体部と第二バックアップリングとの間には初期隙間が設定されている。したがって以上の構成によれば、第一バックアップリングに設けられたテーパ形状に対し第二バックアップリングが乗り上げることになって、これにより耐圧性が発揮され、シールリングのはみ出しが抑制される。
【００１２】
尚、上記二部材に偏芯（軸の偏芯）が生じる場合については、更なる考察を要する。
【００１３】
すなわち、上記請求項１による密封装置によれば、一方の部材と他方の部材が偏芯したとき、円周上の過圧縮側では、第二バックアップリングが軟質材のため変形し、他方の部材との隙間を埋める。また円周上の非圧縮側では、第二バックアップリングが第一バックアップリングのテーパ形状に乗り上がり、他方の部材との隙間を埋める。
【００１４】
但し、第一バックアップリングは硬質で変形しにくいことから、偏芯量が大きな場合には、過圧縮側では、第一バックアップリングが他方の部材に強く当たって割れる可能性がある。また非圧縮側では、第一バックアップリングと他方の部材との間に隙間が発生することから、第二バックアップリングが一方の部材と他方の部材との間の隙間まで大きくはみ出す可能性がある。
【００１５】
これに対し、上記請求項２による密封装置において、請求項３に記載したように、第一バックアップリングの高さ寸法を偏芯後の過圧縮状態でつぶしを持たない寸法に設定することにより、第一バックアップリングは偏芯過圧縮状態でもつぶれて割れることがなく、非圧縮側では、第一バックアップリングと他方の部材との間に隙間が発生しないことになる。このため具体的には、第一バックアップリングにおける他方の部材に対向する面の径寸法を他方の部材の径寸法とほぼ同等に設定し、なおかつ第二バックアップリングと装着溝の溝底面との間に初期隙間を設定する。
【００１６】
また、第二バックアップリングの高さ寸法を通常時で装着溝の高さ寸法に合わせて設定することにより、偏芯時に第二バックアップリングが変形し、他方の部材との隙間を埋める。
【発明の効果】
【００１７】
本発明は、以下の効果を奏する。
【００１８】
すなわち、本発明の請求項１または２による密封装置において、装着溝は断面矩形状の矩形溝とされ、溝内にテーパ形状の類は設けられていない。一方、第一バックアップリングに設けたテーパ形状に対し第二バックアップリングが乗り上げる構造とされているため、耐圧性が発揮され、シールリングのはみ出しを抑制することができる。溝内にテーパ形状を設ける場合と比較してバックアップリングにテーパ形状を設けるのは、工程上格段に容易であり、加工コストも低くて済む。したがって本発明所期の目的どおり、装着溝が断面矩形状の矩形溝でありながら先行技術と同等の性能を発揮すること（優れた耐圧性を発揮し、シールリングのはみ出しを抑制できること）が可能であり、もって溝加工の容易化およびコスト低減を実現することができる密封装置を提供することができる。
【００１９】
またこれに加えて、請求項３による密封装置においては、第一バックアップリングは偏芯過圧縮状態でもつぶれて割れることがなく、非圧縮側では、第一バックアップリングと他方の部材との間に隙間が発生しないため、第二バックアップリングのはみ出しを有効に抑制することができる。
【図面の簡単な説明】
【００２０】
【図１】（Ａ）は本発明の第一実施例に係る密封装置の通常時の状態を示す断面図、（Ｂ）は同密封装置の偏芯時の状態を示す断面図
【図２】（Ａ）は本発明の第二実施例に係る密封装置の通常時の状態を示す断面図、（Ｂ）は同密封装置の偏芯時の状態を示す断面図
【図３】従来例に係る密封装置の断面図
【発明を実施するための形態】
【００２１】
本発明には、以下の実施形態が含まれる。
【００２２】
（１）現在直噴で使用している２枚テーパバックアップリングは、硬質材と軟質材の組合せで成り立っており、耐圧性・Ｏリングはみ出し・軸偏芯に対して有効であり、高圧用シールに広く使用されている。ただし、溝形状にテーパ部を設ける必要がある。そのため、矩形溝にくらべ、溝の加工費が高くなる。
【００２３】
（２）そこで、本発明では、硬質材のバックアップリング（ＢＲ）形状を変更し、バックアップリング自体にテーパを設けた形状とし、矩形溝で２枚テーパバックアップリングと同様の効果を得る。
【００２４】
（３）発明その１としては、以下の構成とする。
（３−１）ＢＲ１（硬質材）は、矩形＋Ｏリング側にテーパ部を設ける（長靴形状）。
（３−２）ＢＲ２（軟質材）は、ＢＲ１に合せてテーパ形状にする。
（３−３）ＢＲ１とＢＲ２の間にスキマを設ける。
【００２５】
（４）発明その２としては、以下の構成とする。
（４−１）発明その１に対し、ＢＲの向きを軸方向に反転させる。
（４−２）ＢＲ１高さを偏芯後の過圧縮状態でもつぶしを持たない寸法に設定する。
（４−３）ＢＲ２高さは通常時で溝高さに合わせる（ＢＲ２は変形可能なため）。
【００２６】
（５）発明その１では、以下の作用効果が発揮される。
（５−１）装着溝が矩形溝になり、溝加工費が低減する。
（５−２）偏芯時、過圧縮側ではＢＲ２が軟質材のため変形し、スキマを埋める。
（５−３）非過圧縮側ではＢＲ２がＢＲ１のテーパ部を上り、スキマを埋める。
【００２７】
（６）ただし、
（６−１）ＢＲ１は硬質材のため変形しにくく、偏芯時に偏芯が大きいと、過圧縮側では割れる可能性がある。
（６−２）非圧縮側ではＢＲ１とハウジングにスキマが発生し、ＢＲ２がはみ出す。ＢＲ２のはみ出しは、溝スキマ（軸外径とハウジング間）まではみ出し、はみ出しは永遠に続く。最終的にはＯリングにキズが発生する可能性がある。
【００２８】
（７）発明その２によれば、上記（６）記載のデメリットが解消される。すなわち、
（７−１）ＢＲ１は偏芯過圧縮状態でもつぶされず、割れない。
（７−２）偏芯時に、ＢＲ２（軟質材）が変形し、スキマを埋める。
（７−３）非過圧縮側にＢＲ１とハウジングにスキマは発生しない。尚、ＢＲ１と軸側にスキマが発生してＢＲ２がはみ出すが、はみ出す先が行き止まりのため、ある程度のはみ出しで止まる（永遠にははみ出さない）。
【００２９】
（８）したがって、発明その２によれば、テーパ溝を使用しない通常の矩形溝で、偏芯によるＯリングはみ出しの抑制が可能となる。
【００３０】
（９）ＢＲ１は硬質材でナイロン樹脂などを使用する。ＢＲ２は軟質材でＰＴＦＥ樹脂などが良い。
（１０）Ｏリングは、特にゴム材質の制限はないが、高圧用であれば高硬度・高強度材が良い。燃料用途では耐油性を考慮してフッ素材を用いる。
【実施例】
【００３１】
つぎに本発明の実施例を図面にしたがって説明する。
【００３２】
第一実施例（請求項１関連）・・・
図１（Ａ）は、本発明の第一実施例に係る密封装置１の要部断面を示している。当該実施例に係る密封装置１は、筒内直噴ガソリンエンジン用インジェクタにおける高圧シール部に用いられるものであって、以下のように構成されている。
【００３３】
すなわち、当該密封装置１は、互いに対向する二部材としての軸６１およびハウジング６２間の環状隙間に配置されて、図上右方向に存在する密封流体が図上左方向の大気側へ漏洩しないようシールするものであって、軸６１の周面に設けた環状の装着溝６３に装着されてハウジング６２の軸孔内周面に密接するシールリングとしてのＯリング１１と、Ｏリング１１の反密封流体側に配置されて同じく装着溝６３に装着される第一バックアップリング２１と、Ｏリング１１および第一バックアップリング２１の間に配置されて同じく装着溝６３に装着される第二バックアップリング３１とを有している。尚、Ｏリング１１はこれに代えて、ＤリングやＸリングなどの他の断面形状のシールリングであっても良い。
【００３４】
Ｏリング１１は、ゴム状弾性体によって成形されている。第一バックアップリング２１は、第二バックアップリング３１よりも硬質の、例えばナイロン樹脂によって成形されている。第二バックアップリング３１は、第一バックアップリング２１よりも軟質の、例えばＰＴＦＥ樹脂によって成形されている。
【００３５】
装着溝６３は、断面矩形状の矩形溝とされ、溝内にテーパ形状の類は全く設けられていない。したがって装着溝６３は、円筒面状の溝底面６３ａと、軸直角平面状の両側面６３ｂとのみを有している。
【００３６】
第一バックアップリング２１は、断面矩形状（径方向に長い長方形状）を呈する環状の本体部２２を有しており、この本体部２２のＯリング１１側の側面であってその内周端部に環状の張り出し部２３が一体成形され、この張り出し部２３の外周面に、Ｏリング１１に近付くに連れて径寸法が徐々に縮小する向きのテーパ形状（傾斜面とも称する）２４が設けられている。したがって張り出し部２３は、断面直角三角形状とされている。
【００３７】
一方、第二バックアップリング３１は、全体として断面矩形状（径方向に長い長方形状）とされ、その内周面に、第一バックアップリング２１のテーパ形状２４に対応してこれに乗り上げることが可能なテーパ部（傾斜面とも称する）３２が設けられている。したがってテーパ部３２は、テーパ形状２４と同様、Ｏリング１１に近付くに連れて径寸法が徐々に縮小する向きに形成されている。
【００３８】
第一バックアップリング２１の外径寸法は、ハウジング６２の軸孔内周面の径寸法と同等もしくはほぼ同等に設定されている。また第一バックアップリング２１の内径寸法は、装着溝６３の溝底面６３ａの径寸法と同等もしくはほぼ同等に設定されている。
【００３９】
一方、第二バックアップリング３１の外径寸法は、ハウジング６２の軸孔内周面の径寸法と同等もしくはほぼ同等に設定されている。また第二バックアップリング３１の最小内径寸法は、装着溝６３の溝底面６３ａの径寸法と同等もしくはほぼ同等に設定されている。
【００４０】
また、図示するように初期状態である通常時において、テーパ形状２４とテーパ部３２は互いに軸方向にオーバーラップして配置され、この分テーパ形状２４に第二バックアップリング３１が乗り上げた状態で組み合わされているが、第一バックアップリング２１の本体部２２と第二バックアップリング３１との間には所定の大きさの初期隙間（軸方向隙間）ｃ１が設定され、更に乗り上げることが可能とされている。
【００４１】
上記構成の密封装置１において、密封流体側から高圧Ｐが作用すると、Ｏリング１１が第二バックアップリング３１に押し付けられ、第二バックアップリング３１が第一バックアップリング２１のテーパ形状２４に更に乗り上がって初期隙間ｃ１が狭められ、第二バックアップリング３１は、その内周面のテーパ部３２にて第一バックアップリング２１のテーパ形状２４に強く密接するとともにその外周面にてハウジング６２の軸孔内周面に強く密接する。したがって当該密封装置１によれば、優れた耐圧性が発揮され、Ｏリング１１のはみ出しを有効に抑制することができる。また第二バックアップリング３１が第一バックアップリング２１と比較して軟質であるため、これにＯリング１１が押し付けられてもＯリング１１の表面を傷付けることがない。また装着溝６３が単純な矩形溝とされているため、溝加工の容易化および加工コストの低減が実現されている。
【００４２】
第二実施例（請求項２および３関連）・・・
図２（Ａ）は、本発明の第二実施例に係る密封装置１の要部断面を示している。当該実施例に係る密封装置１は、筒内直噴ガソリンエンジン用インジェクタにおける高圧シール部に用いられるものであって、以下のように構成されている。
【００４３】
すなわち、当該密封装置１は、互いに対向する二部材としての軸６１およびハウジング６２間の環状隙間に配置されて、図上右方向に存在する密封流体が図上左方向の大気側へ漏洩しないようシールするものであって、軸６１の周面に設けた環状の装着溝６３に装着されてハウジング６２の軸孔内周面に密接するシールリングとしてのＯリング１１と、Ｏリング１１の反密封流体側に配置されて同じく装着溝６３に装着される第一バックアップリング２１と、Ｏリング１１および第一バックアップリング２１の間に配置されて同じく装着溝６３に装着される第二バックアップリング３１とを有している。尚、Ｏリング１１はこれに代えて、ＤリングやＸリングなどの他の断面形状のシールリングであっても良い。
【００４４】
Ｏリング１１は、ゴム状弾性体によって成形されている。第一バックアップリング２１は、第二バックアップリング３１よりも硬質の、例えばナイロン樹脂によって成形されている。第二バックアップリング３１は、第一バックアップリング２１よりも軟質の、例えばＰＴＦＥ樹脂によって成形されている。
【００４５】
装着溝６３は、断面矩形状の矩形溝とされ、溝内にテーパ形状の類は全く設けられていない。したがって装着溝６３は、円筒面状の溝底面６３ａと、軸直角平面状の両側面６３ｂとのみを有している。
【００４６】
第一バックアップリング２１は、断面矩形状（径方向に長い長方形状）を呈する環状の本体部２２を有しており、この本体部２２のＯリング１１側の側面であってその外周端部に環状の張り出し部２３が一体成形され、この張り出し部２３の内周面に、Ｏリング１１に近付くに連れて径寸法が徐々に拡大する向きのテーパ形状（傾斜面とも称する）２４が設けられている。したがって張り出し部２３は、断面直角三角形状とされている。
【００４７】
一方、第二バックアップリング３１は、全体として断面矩形状（径方向に長い長方形状）とされ、その内周面に、第一バックアップリング２１のテーパ形状２４に対応してこれに乗り上げることが可能なテーパ部（傾斜面とも称する）３２が設けられている。したがってテーパ部３２は、テーパ形状２４と同様、Ｏリング１１に近付くに連れて径寸法が徐々に拡大する向きに形成されている。
【００４８】
第一バックアップリング２１の外径寸法は、ハウジング６２の軸孔内周面の径寸法と同等もしくはほぼ同等に設定されている。また第一バックアップリング２１の内径寸法は、装着溝６３の溝底面６３ａの径寸法よりも大きく設定され、よって第一バックアップリング２１の内周面と装着溝６３の溝底面６３ａとの間に所定の大きさの初期隙間（径方向隙間）ｃ２が設定されている。
【００４９】
一方、第二バックアップリング３１の最大外径寸法は、ハウジング６２の軸孔内周面の径寸法と同等もしくはほぼ同等に設定されている。また第二バックアップリング３１の内径寸法は、装着溝６３の溝底面６３ａの径寸法と同等もしくはほぼ同等に設定されている。
【００５０】
また、以上により、第一バックアップリング２１の高さ寸法は、偏芯後の過圧縮状態でつぶしを持たない寸法に設定され、第二バックアップリング３１の高さ寸法は、通常時で装着溝６３の高さ寸法（装着溝６３の溝底面６３ａおよびハウジング６２の軸孔内周面間の間隔寸法）に合わせて設定されているが、これらについては後述する。
【００５１】
また、図示するように初期状態である通常時において、テーパ形状２４とテーパ部３２は互いに軸方向にオーバーラップして配置され、この分テーパ形状２４に第二バックアップリング３１が乗り上げた状態で組み合わされているが、第一バックアップリング２１の本体部２２と第二バックアップリング３１との間には所定の大きさの初期隙間（軸方向隙間）ｃ１が設定され、更に乗り上げることが可能とされている。
【００５２】
上記構成の密封装置１において、密封流体側から高圧Ｐが作用すると、Ｏリング１１が第二バックアップリング３１に押し付けられ、第二バックアップリング３１が第一バックアップリング２１のテーパ形状２４に更に乗り上がって初期隙間ｃ１が狭められ、第二バックアップリング３１は、その外周面のテーパ部３２にて第一バックアップリング２１のテーパ形状２４に強く密接するとともにその内周面にて装着溝６３の溝底面６３ａに強く密接する。したがって当該密封装置１によれば、優れた耐圧性が発揮され、Ｏリング１１のはみ出しを有効に抑制することができる。また第二バックアップリング３１が第一バックアップリング２１と比較して軟質であるため、これにＯリング１１が押し付けられてもＯリング１１の表面を傷付けることがない。また装着溝６３が単純な矩形溝とされているため、溝加工の容易化および加工コストの低減が実現されている。
【００５３】
尚、上記第一および第二実施例を比較すると、以下の相違がある。
【００５４】
すなわち、上記第一実施例に係る密封装置１においては、軸６１が偏芯したとき、円周上の過圧縮側で図１（Ｂ）の上半分の図面に示すように、第二バックアップリング３１が軟質材のため変形し、ハウジング６２との隙間を埋める。また円周上の非圧縮側では図１（Ｂ）の下半分の図面に示すように、第二バックアップリング３１が第一バックアップリング２１のテーパ形状２４に乗り上がり、ハウジング６２との隙間を埋める。
【００５５】
但し、第一バックアップリング２１は硬質材で変形しにくいことから、偏芯量が大きな場合には、過圧縮側で図１（Ｂ）の上半分の図面に示すように、第一バックアップリング２１がハウジング６２に強く当たって割れる可能性がある（干渉部を符号２５にて示す）。また非圧縮側では図１（Ｂ）の下半分の図面に示すように、第一バックアップリング２１とハウジング６２との間に隙間ｃ３が発生することから、第二バックアップリング３１が軸６１とハウジング６２との間の隙間６４まで大きくはみ出す可能性がある。
【００５６】
これに対し、上記第二実施例に係る密封装置１においては上記したように、第一バックアップリング２１の高さ寸法が偏芯後の過圧縮状態でつぶしを持たない寸法に設定されているために、第一バックアップリング２１は過圧縮側でも図２（Ｂ）の上半分の図面に示すように、つぶれて割れることがなく、非圧縮側では図２（Ｂ）の下半分の図面に示すように、第一バックアップリング２１とハウジング６２との間に隙間が発生しないことから、第二バックアップリング３１がはみ出すのを有効に防止することができる（この場合、第一バックアップリング２１の内周面と装着溝６３の溝底面６３ａとの間に隙間ｃ４が形成されるため、ここに第二バックアップリング３１がはみ出す可能性があるが、この隙間ｃ４は装着溝６３の側面６３ｂによって遮られる先止まり状の空間であることから、第二バックアップリング３１が大きくはみ出すことはない）。
【００５７】
したがって、第一および第二実施例を比較した場合、第二実施例のほうが、第二バックアップリング３１の大きなはみ出しを防止できる点で優れていると云うことができる。
【符号の説明】
【００５８】
１  密封装置
１１  Ｏリング（シールリング）
２１  第一バックアップリング
２２  本体部
２３  張り出し部
２４  テーパ形状
２５  干渉部
３１  第二バックアップリング
３２  テーパ部
６１  軸（一方の部材）
６２  ハウジング
６３  装着溝
６３ａ  溝底面
６３ｂ  側面
６４，ｃ１，ｃ２，ｃ３，ｃ４  隙間
【図１】
2010190314.tif 000003
【図２】
2010190314.tif 000004
【図３】
2010190314.tif 000005